(57)【特許請求の範囲】
【請求項１】
ａ）全体が壁部材内に埋設され、平行に直立した対向側面間に形成された矩形の開口部が壁部材１の前面に開口したコンセントボックスと、
ｂ）該コンセントボックスの対向側面に近接して平行に直立した対向側面と、該対向側面間に前記コンセントボックスの開口部の下辺部を中心とした前記コンセントボックスの開口部の上下幅程の半径で１／４円筒状に湾曲した上面と、プラグ差込孔を備えた前面と、該プラグ差込孔の内部に設けたプラグ端子を挟んで受ける両プラグ端子挟持板とを有し、前記プラグ差込孔を正面向きから下向きに擺動可能となるように前記コンセントボックスの対向側面の前下部に設けた枢支孔に前記対向側面の前下部に設けた枢支軸を枢支した擺動コンセントと、から成るコンセントであって、
ｃ）前記コンセントボックスの対向側面のボックス内の少なくとも上部に露出させて設けた両通電接点及び該両通電接点と対向して接触可能に前記擺動コンセントの対向側面の後部に露出させて設けた通電接点と、
ｄ）前記擺動コンセントの両プラグ端子挟持板と前記両通電接点とを接続した両送電回路及び前記コンセントボックスの両通電接点と電源コードに接続するための両電源線接続部とを接続した両送電回路と、
を備えたことを特徴とするコンセント。
【請求項２】
ａ）コンセントボックスの枢支孔が前後に長い枢支孔であって、その枢支孔に擺動コンセントの枢支軸を遊嵌し、該枢支軸に擺動コンセントとを前へ回動するように付勢して装着したバネと、
ｂ）前記擺動コンセントを前面側へ前記バネの付勢で回動させたとき、該擺動コンセントのプラグ差込孔が下向きとなって停止させるようコンセントボックスに設けた上部ストッパと、該上部ストッパに掛かるように対応させて設けた擺動コンセントの後面外側の突起と、
ｃ）前記擺動コンセントを後部側へ前記バネの付勢に抗して回動させたとき、該擺動コンセントのプラグ差込孔が前面向きとなって停止させるようコンセントボックスの下部に設けた下部ストッパと、該下部ストッパに掛かるように対応させて設けた擺動コンセントの後面内側の突起と、
ｄ）前記擺動コンセントの後部とコンセントボックスとの間に、該擺動コンセントのプラグ差込孔が前面向き状態で、擺動コンセントを前方に押し出すように付勢させて設けた板バネと、
を備えたことを特徴とする請求項１に記載のコンセント。
【請求項３】
擺動コンセント内に両プラグ端子挟持板を固定する端子固定部を設け、該端子固定部に擺動コンセントの前面から一定距離まで突出可能としたスライド手段を設けるとともに、両送電回路に前記端子固定部の移動に追随して伸縮可能とする伸縮送電回路を設けたことを特徴とする請求項１又は２に記載のコンセント。
【請求項４】
コンセントボックスの通電接点を、擺動コンセントの通電接点に接触可能に対向させて、擺動上限に狭く形成するか又は擺動上限から擺動下限までの範囲に広く形成したことを特徴とする請求項１から３のうちいずれかに記載のコンセント。
【請求項５】
擺動コンセントの上面に両送電回路の接続をオン・オフするスイッチを設けたことを特徴とする請求項１から４のうちいずれかに記載のコンセント。
【請求項６】
擺動コンセントの上面に両送電回路が通電接点に接触状態で点灯し、非接触状態で消灯するランプを設けたことを特徴とする請求項１から５のうちいずれかに記載のコンセント。
【請求項７】
コンセントボックスに、開口部から突出した擺動コンセントを囲う蓋を開閉可能に設けたことを特徴とする請求項１から６のうちいずれかに記載のコンセント。
【発明の詳細な説明】
【技術分野】
【０００１】
本発明はプラグを差し込んで電源に接続するために壁面に設けられるコンセントに関する。
【背景技術】
【０００２】
壁面に設けるプラグ差し込み用コンセントは、差込孔とプラグ端子との間に隙間ができ、その隙間に埃が溜まり易い。そして溜まった埃に水分や湿気などの条件が加わって漏電し、火災を発生させることがある。
従来、外壁や水周りなどの水の影響を受けやすい場所では、下記特許文献１に記載の「防水コンセント」や下記特許文献２に記載の「壁面防塵コンセントボックス」の如き、接続面を下向きに形成したコンセントが使用され、また周囲を防水カバーや蓋などで囲うことによって埃や水分が接続部分へ侵入するのを防止しようとする技術が提案されている。
【先行技術文献】
【特許文献】
【０００３】
【特許文献１】特開２００７−１０３２５８号公報
【特許文献２】特開２００８−５３１９５号公報
【発明の概要】
【発明が解決しようとする課題】
【０００４】
しかしながら、上記特許文献１の如くプラグの差込口を下向きにしたものでは、正面から差込孔が見えない状態となってしまい、プラグを円滑に差し込むことができないという難点がある。また上記特許文献２の如く蓋を設けたものではプラグを差し込むのに一々蓋の開け閉めをしなければならず、面倒で使用し難いとう欠点がある。
【０００５】
そこで、本発明は、プラグの接続部分に埃が付き難くすることで、漏電火災に対する安全性を高めると同時に、前からコンセントの孔を見てプラグ端子を容易に差し込むことができる使用し易いコンセントを提供することを目的とする。
【課題を解決するための手段】
【０００６】
上記目的を達成するための本発明のコンセントにおける請求項１の記載の発明にあっては、ａ）全体が壁部材内に埋設され、平行に直立した対向側面間に形成された矩形の開口部が壁部材１の前面に開口したコンセントボックスと、ｂ）該コンセントボックスの対向側面に近接して平行に直立した対向側面と、該対向側面間に前記コンセントボックスの開口部の下辺部を中心とした前記コンセントボックスの開口部の上下幅程の半径で１／４円筒状に湾曲した上面と、プラグ差込孔を備えた前面と、該プラグ差込孔の内部に設けたプラグ端子を挟んで受ける両プラグ端子挟持板とを有し、前記プラグ差込孔を正面向きから下向きに擺動可能となるように前記コンセントボックスの対向側面の前下部に設けた枢支孔に前記対向側面の前下部に設けた枢支軸を枢支した擺動コンセントと、から成るコンセントであって、ｃ）前記コンセントボックスの対向側面のボックス内の少なくとも上部に露出させて設けた両通電接点と、該両通電接点と対向して接触可能に前記擺動コンセントの対向側面の後部に露出させて設けた通電接点と、ｄ）前記擺動コンセントの両プラグ端子挟持板と前記両通電接点とを接続した両送電回路と、前記コンセントボックスの両通電接点と電源コードに接続するための両電源線接続部とを接続した両送電回路と、を備えたことを特徴とする。
【０００７】
請求項２に記載の発明にあっては、上記発明において、ａ）前記コンセントボックスの枢支孔が前後に長い枢支孔であって、その枢支孔に擺動コンセントの枢支軸を遊嵌し、該枢支軸に擺動コンセントとを前へ回動するように付勢して装着したバネと、ｂ）前記擺動コンセントを前面側へ前記バネの付勢で回動させたとき、該擺動コンセントのプラグ差込孔が下向きとなって停止させるようコンセントボックスに設けた上部ストッパと、該上部ストッパに掛かるように対応させて設けた擺動コンセントの後面外側の突起と、ｃ）前記擺動コンセントを後部側へ前記バネの付勢に抗して回動させたとき、該擺動コンセントのプラグ差込孔が前面向きとなって停止させるようコンセントボックスの下部に設けた下部ストッパと、該下部ストッパに掛かるように対応させて設けた擺動コンセントの後面内側の突起と、ｄ）前記擺動コンセントの後部とコンセントボックスとの間に、該擺動コンセントのプラグ差込孔が前面向き状態で、擺動コンセントを前方に押し出すように付勢させて設けた板バネと、を備えたことを特徴とする。
【０００８】
請求項３に記載の発明にあっては、上記各発明において、前記擺動コンセント内に両プラグ端子挟持板を固定する端子固定部を設け、該端子固定部に擺動コンセントの前面から一定距離まで突出可能としたスライド手段を設けるとともに、両送電回路に前記端子固定部の移動に追随して伸縮可能とする伸縮送電回路を設けたことを特徴とする。
【０００９】
請求項４に記載の発明にあっては、上記各発明において、前記コンセントボックスの通電接点を、擺動コンセントの通電接点に接触可能に対向させて、擺動上限に狭く形成するか又は擺動上限から擺動下限までの範囲に広く形成したことを特徴とする。
【００１０】
請求項５に記載の発明にあっては、上記各発明において、前記擺動コンセントの上面に両送電回路の接続をオン・オフするスイッチを設けたことを特徴とする。
【００１１】
請求項６に記載の発明にあっては、上記各発明において、前記擺動コンセントの上面に両送電回路が通電接点に接触状態で点灯し、非接触状態で消灯するランプを設けたことを特徴とする。
【００１２】
請求項７に記載の発明にあっては、上記各発明において、前記コンセントボックスに、開口部から突出した擺動コンセントを囲う蓋を開閉可能に設けたことを特徴とする。
【発明の効果】
【００１３】
本発明のコンセントは、前記擺動コンセントのプラグ差込孔を備えた前面が、プラグを差し込む前には壁面と面―となって壁面から突出しないので、邪魔にはならない。
そして、プラグを差し込む際には、壁面前からプラグ差込孔を正面に見つつ確実に差し込めるので、差込作業が容易に行える。
差し込んだ後では、バネの付勢で擺動コンセントは回動して下向きとなる。従って接続部分にできる隙間は横向きとなり、擺動コンセントの下に隠れるためプラグ端子にまでは埃が入り込み難くなる。
【００１４】
請求項２に記載の発明では、プラグを板バネに抗して差し込むと、前記擺動コンセントが後方に押されて下部ストッパが自動的に外れる。そして枢支軸に装着したバネの付勢でプラグ差込孔が下向きとなるように前記擺動コンセントが回動する。
使用していないときには、プラグを抜いて、前記擺動コンセントを手で後方へ回動させてコンセントボックス内に戻すと、突起が下部ストッパに掛かり、前記擺動コンセントが板バネで前方に押されて下部ストッパに突起が確実に係止される。
即ち、プラグを単に押して差し込めば下部ストッパから外れて手を離せば前記擺動コンセントが前に回動し、プラグは下向きになって吊られる。
プラグを抜くときには、プラグが差し込まれている擺動コンセントを上げると、擺動コンセントが板バネで押されて下部ストッパに掛かり、プラグ差込孔を正面に向けた状態で容易に引き抜くことが可能となる。
【００１５】
請求項３に記載の発明では、歩行中、誤ってプラグに繋がる電気コードを脚に掛けて引っ張ったとき、擺動コンセントの両プラグ端子挟持板を固定した端子固定部が擺動コンセントから突出し、引っ張り力を緩和する。このため両プラグ端子挟持板からプラグ端子が抜け出ずに接続が維持され、簡単に電源が切断されることがない。このため、パソコンの使用中に急に電源が切れて、作業したデータが喪失してしまう心配が解消される。
【００１６】
請求項４に記載の発明では、通電接点を擺動上限に限定することで、プラグ差込孔が下向きにならない限り電流が流れないので、使用者はプラグ差込孔が下向きとなった状態での安全な使用が強制されることとなる。
また、通電接点を擺動上限から擺動下限までの広範囲に設けると、プラグ差込孔が下向き状態から正面向き状態にどこでも電流が流れる。このためプラグ差込孔が正面向きでも使用することが可能となって、差込プラグ付きのアダプタを直接使用することもできるようになり、使い勝手を良くすることが可能となる。
【００１７】
請求項５に記載の発明では、コンセントに電気器具のプラグを接続したままプラグを抜かずに、電気器具の電源のオン・オフが可能となる。
【００１８】
請求項６に記載の発明では、コンセントで電気を接続可能なときにはランプが点灯することで、そのランプの光を目で確かめつつ電気製品の使用ができる。
【００１９】
請求項７記載の発明では、コンセント部分を覆う蓋によって、コンセント全体を覆い、コンセント中への埃の侵入を防止できるので、より安全性を高めることが可能となる。
【図面の簡単な説明】
【００２０】
【図１】本発明のプラグを差し込んでいない状態を示す縦断側面図である。
【図２】本発明のプラグを差し込んで使用している状態を示す縦断側面図である。
【図３】別の形態のプラグを差し込んで使用している状態を示す縦断側面図である。
【図４】別の形態のプラグを差し込んで使用している状態を示す縦断側面図である。
【図５】コンセントボックスを示す縦断斜視図である。
【図６】擺動コンセントの（イ）が斜め正面から見た斜視図、（ロ）が斜め背面から見た斜視図である。
【図７】別の形態のプラグを差し込んで使用している状態を示し（イ）は差込固定部が突出していない状態を示し、（ロ）は差込固定部が突出した状態を示す各縦断側面図である。
【図８】コンセントボックスの背面から見た斜視図である。
【図９】蓋を備えた形態の（イ）は蓋を閉じた状態を示し、（ロ）は蓋を開いた状態を示す斜視図である。
【発明を実施するための形態】
【００２１】
本発明の実施の形態を以下説明する。
本発明は、図１、図５及び図８に示すように、全体が壁部材１内に埋設され、平行に直立した対向側面２ａ、２ｂと、コンセントボックスの上面２ｃ及び下面２ｄとの間に形成された矩形の開口部２ｆが壁部材１の前面１ａに開口したコンセントボックス２と、そのコンセントボックス２中に収納可能され、図２及び図６に示すように、プラグ差込孔５を設けた前面３ｄが正面向きから下向きに擺動可能となるように前記コンセントボックス２の対向側面２ａ、２ｂの前下部に設けた枢支孔２２に前記対向側面３ａ、３ｂの前下部に設けた枢支軸２３を枢支した擺動コンセント３とで構成する。
【００２２】
前記コンセントボックス２の壁部材１への固定は、開口部２ｆの周囲にネジ孔３１を設けたフランジ３０を形成し、ネジ孔３１に壁固定ネジ３２で壁部材１に室内側からの差込んで固定する態様を示しているが、壁部材１を壁に張る前に、その下地である間柱やスタッドに固定できるように、ネジ孔３１を設けたフランジをコンセントボックス２の後面２ｅ側に設けるなど、壁構造や壁施工手順の中で最適な構造のものを選択することができる。
【００２３】
前記擺動コンセント３は、図１及び図６に示すように、前記コンセントボックス２の対向側面２ａ、２ｂに近接して平行に直立した対向側面３ａ、３ｂと、該対向側面３ａ、３ｂ間に前記コンセントボックス２の開口部２ｆの下辺部を中心とした前記コンセントボックス２の開口部２ｆの上下幅程の半径で１／４円筒状に湾曲した湾曲上面３ｃと、プラグ差込孔５を備えた前面３ｄと、図２に示すように、該プラグ差込孔５の内部に設けたプラグ端子を挟んで受ける両プラグ端子挟持板６とを有する。そして、前記湾曲上面３ｃと、後面３ｅとの境に突出部３４を設ける。
該両プラグ端子挟持板６ａ、６ｂはＵ字形に折曲げ、プラグＰの各端子Ｐａ部分がそれぞれ差し込める程度の弾力性をもつ真鍮などの板を折り曲げて形成し、プラグ端子挟持板固定ネジ１２で差込固定部４に固定する。
そして、前記プラグ差込孔５を正面向きから下向きに擺動可能となるように前記コンセントボックス２の対向側面２ａ、２ｂの前下部に設けた枢支孔２２に前記対向側面３ａ、３ｂの前下部に設けた枢支軸２３を枢支する。
図１は、プラグを差し込んでいない状態を示し、図２は、プラグ端子Ｐａをプラグ端子挟持板６ａ、６ｂに差し込んで、擺動した前記擺動コンセント３のプラグ差込孔５が下向き状態となったことを示している。
【００２４】
また、図８に示すように、前記コンセントボックス２の対向側面２ａ、２ｂのボックス内の少なくとも上部に露出させて板状の両通電接点８ａ、８ｂを対向側面２ａ、２ｂの表面から少し膨出状態に設け、図１及び図６に示すように、該両通電接点８ａ、８ｂと対向して接触可能に前記擺動コンセント３の対向側面３ａ、３ｂの後部に露出させて円板状の通電接点９ａ、９ｂを対向側面３ａ、３ｂの表面から少し膨出状態に設ける。
【００２５】
さらに、図１に示すように、前記擺動コンセント３の両プラグ端子挟持板６ａ、６ｂと、前記両通電接点９ａ、９ｂとを接続した板状の両送電回路１０ａ、１０ｂと、図８に示すように、前記コンセントボックス２の両通電接点８ａ、８ｂと外部コードに接続するための両電源線接続部１３ａ、１３ｂとを接続した板状の両送電回路１１ａ、１１ｂとを備える。なお、これらの送電回路１０ａ、１０ｂ及び両送電回路１１ａ、１１ｂが通電させるためのものなので板状に限定するものではなく、電気コードを用いても良い。
前記両電源線接続部１３ａ、１３ｂは、図８に示すように、前記擺動コンセント３の湾曲上面３ｃの上部に空間があるので、その空間を利用して前記コンセントボックス２の後上部を凹ませ、この内部に設けることができる。そして、室内配線の電源コード１４ａ、１４ｂに前記両電源線接続部１３ａ、１３ｂで接続する。
【００２６】
そして、図２及び図５に示すように、前記コンセントボックス２の枢支孔２２は前後に長い枢支孔２２を形成し、その枢支孔２２に擺動コンセント３の枢支軸２３を遊嵌する。そして、該枢支軸２３に擺動コンセント３とを前へ回動するように付勢したバネ１５を装着する。
このバネ１５の装着は、枢支軸２３を巻くようにコイルバネ１５を設けて、該バネ１５の一方端を擺動コンセント３に固定し、他方端を前記コンセントボックス２に固定して装着する。
【００２７】
また、図２及び３に示すように、前記擺動コンセント３を前面側へ前記バネ１５の付勢で回動させたとき、該擺動コンセント３のプラグ差込孔５が下向きとなって停止させるようコンセントボックス２に設けた段差状の上部ストッパ１７を設ける。そして、該上部ストッパ１７に掛かるように対応させて擺動コンセント３の後面３ｅ外側の段差状の突起１６を設け、両段差面が突き当たるようにする。
【００２８】
また、図１に示すように、前記擺動コンセント３を後部側へ前記バネ１５の付勢に抗して回動させたとき、該擺動コンセント３のプラグ差込孔５が前面向きとなって停止させるようコンセントボックス２の下部に段差状の下部ストッパ１９を設ける。そして、該下部ストッパ１９に掛かるように対応させて擺動コンセント３の後面３ｅ内側の段差状の突起１８を設け、両段差面が突き当たるようにする。
【００２９】
さらに、図１に示すように、前記擺動コンセント３の後部とコンセントボックス２との間に、該擺動コンセント３のプラグ差込孔５が前面向き状態で、擺動コンセント３を前方に押し出すように付勢させてコンセントボックス２の後面２ｅ内部に板バネ２１を設ける。
該板バネ２１に対応させて、図６に示すように、擺動コンセント３の湾曲上面３ｃの最後部に設けた擺動コンセント３の後面３ｅ外側の突起１６の中間にバネ逃げ溝２４を設けて、前記板バネ２１が擺動コンセント３の湾曲上面３ｃを押圧しつつ円滑にスライドできるようにする。
【００３０】
本発明は以上の如き構造のコンセントであって、使用しないときには、図１に示すように、前記擺動コンセント３のプラグ差込孔５ａ、５ｂを備えた前面３ｄが壁面１と面―となって壁前面１ａから突出しない。そして、プラグＰを差し込む際には、壁面前からプラグ差込孔５ａ、５ｂを正面に見つつ確実に差し込める。
プラグ５を差し込んだ後、図２に示すように、擺動コンセント３は回動させプラグ差込孔５ａ、５ｂを下向きにすることができる。このため接続部分にできる隙間は横向きとなり、擺動コンセント３の下に隠れるためプラグ端子Ｐａにまでは埃が入り込み難くなる。
【００３１】
その使用に際し、前記コンセントボックス２の中に設けた前記板バネ２１に抗してプラグＰをプラグ差込孔５に差し込むと、前記擺動コンセント３が後方に押されて下部ストッパ１９から突起１８が自動的に外れる。そして枢支軸２３に装着したバネ１５の付勢でプラグ差込孔５が下向きとなるように前記擺動コンセント３が回動する。
使用していないときには、プラグＰを抜いて、前記擺動コンセント３を手で後方へ回動させてコンセントボックス２内に戻すと、突起１８が下部ストッパ１９に掛かり、前記擺動コンセント３が板バネ２１で前方に押されて下部ストッパ１９に突起１８が確実に係止される。
【００３２】
このように、プラグＰを単に押してプラグ差込孔５に差し込めば下部ストッパ1９から突起１８が外れて、そのまま手を離せばバネ１５の付勢で前記擺動コンセント３が前に回動し、プラグＰ及び電気コードは下に垂れ下がって吊られる。
また、プラグＰを抜くときには、垂れ下がっているプラグＰを持って擺動コンセント３を上げると、上限まで上げたとき擺動コンセント３が板バネ２１で押されて下部ストッパ１９に突起１８が掛かり、プラグ差込孔５を正面に向けた状態を維持し、その状態でプラグＰを前に水平に引けば容易に擺動コンセント３からプラグＰを引き抜くことが可能となる。
【００３３】
またこれとは別に、図７に示すように、前記端子固定部４が突出可能な形態が可能である。
この形態では、前記擺動コンセント３内に両プラグ端子挟持板６ａ、６ｂを固定する端子固定部４を設け、該端子固定部４に擺動コンセント３の前面から一定距離まで突出可能としたスライド手段を設けるとともに、両送電回路１０ａに前記端子固定部４の移動に追随して伸縮可能とする伸縮送電回路２７ａを設けることができる。
【００３４】
また、前記コンセントボックス２の通電接点８ａ、８ｂを、擺動コンセント３の通電接点９ａ、９ｂに接触可能に対向させて、図２に示すように、擺動上限に狭く形成するか又は図３に示すように、擺動上限から擺動下限までの範囲に広く形成することができる。
擺動上限に狭く形成した場合には、図に１示すように、前記通電接点８、９を擺動上限に限定することで、プラグ差込孔５が下向きにならない限り電流が流れないので、使用者はプラグ差込孔５が下向きとなった状態での安全な使用が強制されることとなる。
また擺動上限から擺動下限までの範囲に広く形成した場合には、図３に示すように、通電接点８ｃを擺動上限から擺動下限までの広範囲に設けると、プラグ差込孔５が下向き状態から正面向き状態にどこでも電流が流れる。このためプラグ差込孔５が正面向きでも使用することが可能となって、プラグ端子の取り付け面が広い差込プラグ付きのアダプタを直接使用することもできるようになり、使い勝手を良くすることが可能となる。
【００３５】
また、図４に示すように、擺動コンセント３の上面３ｃに両送電回路１０ａ、１０ｂの接続をオン・オフするスイッチ２５を設ける。そして、このスイッチ２５で電気器具のプラグを接続したままでプラグＰを抜かずに電気器具の電源のオン・オフすることが可能となる。
【００３６】
また、図４に示すように、両送電回路１０ａ、１０ｂが通電接点８ａ、８ｂに接触状態で、両送電回路１０ａ、１０ｂ間に並列接続した擺動コンセント３の上面３ｃのランプ２６が点灯し、両送電回路１０ａ、１０ｂ間で非接触状態のときには消灯する小さいランプ２６を設けることができる。
この形態は、電気を接続可能なときにはランプ２６が点灯することで、そのランプ２６の光を目で確かめつつ電気製品の使用ができるので安心である。
【００３７】
また、図９に示すように、コンセントボックス２に、開口部２ｆから突出した擺動コンセント３を囲うプラスチック製の蓋３５をコンセントボックス２の上部に設けたヒンジ３６で開閉可能に設けることができる。
この蓋を設けることによって、コンセント全体を覆い、コンセントボックス２中への埃の侵入を防止することができるので、安全性がより高められる。
この際、該蓋３５の下面にはその下部側に溝蓋３７を設けて、中央にプラグ通し孔３８を設け、プラグが蓋面を貫通して差し込まれる状態にすることもできる。こうすることで、より埃の侵入の防止機能が高められる。
なお、図９にはヒンジ３６で開閉する態様を示したが、この他にも蓋の開閉構造はスライド式や観音開きなど各種態様が可能である。
【産業上の利用可能性】
【００３８】
本発明のコンセントは、使用する部材を選別して防水性を高めることで内壁用に限らず外壁用としても利用することが可能である。
【符号の説明】
【００３９】
１    壁部材
１ａ  壁部材の前面
２    コンセントボックス
２ａ  コンセントボックスの側面
２ｂ  コンセントボックスの側面
２ｃ  コンセントボックスの上面
２ｄ  コンセントボックスの下面
２ｅ  コンセントボックスの後面
２ｆ  コンセントボックスの開口部
３    擺動コンセント
３ａ  擺動コンセントの側面
３ｂ  擺動コンセントの側面
３ｃ  擺動コンセントの湾曲上面
３ｄ  擺動コンセントの前面
３ｅ  擺動コンセントの後面
４    差込固定部
５    プラグ差込孔
５ａ  プラグ差込孔
５ｂ  プラグ差込孔
６    プラグ端子挟持板
６ａ  プラグ端子挟持板
６ｂ  プラグ端子挟持板
７    枢支部
８ａ  通電接点
８ｂ  通電接点
９ａ  通電接点
９ｂ  通電接点
１０ａ  送電回路
１０ｂ  送電回路
１１ａ  送電回路
１１ｂ  送電回路
１２    プラグ端子挟持板固定ネジ
１３ａ  電気コード接続ネジ
１３ｂ  電気コード接続ネジ
１４ａ  電源コード
１４ｂ  電源コード
１５    バネ
１６    突起
１７    上部ストッパ
１８    突起
１９    下部ストッパ
２０    固定ネジ
２１    板バネ
２２    枢支孔
２３    枢支軸
２４    バネ逃げ溝
２５    スイッチ
２６    ランプ
２７    伸縮送電回路
２８    スライドガイド
２９    スライダ
３０    フランジ
３１    ネジ孔
３２    壁固定ネジ
３３    突出部収納溝
３４    突出部
３５    蓋
３６    ヒンジ
３７    溝蓋
３８    プラグ通し孔
Ｐ      プラグ
Ｐａ    プラグ端子
【図１】
0005886570.tif 000002
【図２】
0005886570.tif 000003
【図３】
0005886570.tif 000004
【図４】
0005886570.tif 000005
【図５】
0005886570.tif 000006
【図６】
0005886570.tif 000007
【図７】
0005886570.tif 000008
【図８】
0005886570.tif 000009
【図９】
0005886570.tif 000010